(57)【要約】      （修正有）【課題】粉末の飛散による人体への悪影響も、作業者の熟練度の差による品質のバラツキも、撹拌時の気泡の混入もなく、余剰材料の廃棄処理も容易な歯科用材料練和方法と歯科用材料練和用具を提供する。【解決手段】一つの外袋１内に区画されて設けられた二つ以上の収容部１a、１b内に、所定比率で別々に収容されている粉末材料Ｐと液体Ｗを、外袋の前記区画を開放して外袋内に出して混合させ、混合した粉末材料Ｐと液体Ｗを当該外容器内で練和してペースト状にする。他の実施方法としては、一つの外容器内とその内部に収容された内容器内に所定比率で別々に収容されている粉末材料と液体を、内容器を破損させて内容器内の粉末材料又は液体を外容器内に出すことにより混合させ、混合した粉末材料と液体を外容器内で練和してペースト状にする。【選択図】図１
2013252198.tif 000002
【特許請求の範囲】
【請求項１】
歯科用粉末材料と液体とを練和する歯科用材料練和方法において、
一つの外容器内に区画されて設けられた二つ以上の収容部内に、所定比率で別々に収容されている粉末材料と液体を、外容器の前記区画を開放して前記外容器内に出して混合させ、当該外容器を外から揉んで前記混合した粉末材料と液体を当該外容器内で練和してペースト状にする、
ことを特徴とする歯科用材料練和方法。
【請求項２】
歯科用粉末材料と液体とを練和する歯科用材料練和方法において、
一つの外容器内とその内部に収容された内容器内に所定比率で別々に収容されている粉末材料と液体を、前記内容器を破損させて当該内容器内の粉末材料又は液体を外容器内に出すことにより混合させ、当該外容器を外から揉んで前記混合した粉末材料と液体を当該外容器内で練和してペースト状にする、
ことを特徴とする歯科用材料練和方法。
【請求項３】
歯科用粉末材料と液体とを練和する歯科用材料練和方法において、
外容器内に収容されている二つ以上の内容器内に仕切部で仕切られて別々に収容されている粉末材料と液体を、前記仕切り部を開放して外容器内に出して混合させ、当該外容器を外から揉んで前記混合した粉末材料と液体を当該外容器内で練和してペースト状にする、
ことを特徴とする歯科用材料練和方法。
【請求項４】
歯科用粉末材料と液体とを練和することのできる歯科用材料練和用具において、
一つの外容器内に区画された二つ以上の収容部があり、
粉末材料と液体は所定比率で別々の収容部内に収容され、
各々の収容部は外容器を揉むことにより又は外容器の外から圧力を加えることにより開口又は破損してそれら収容部内の粉末材料と液体を前記外容器内に出して混合することができ、
前記外容器は前記粉末材料と液体を外容器の外から揉んで練和できるように変形可能である、
ことを特徴とする歯科用材料練和用具。
【請求項５】
歯科用粉末材料と液体とを練和することのできる歯科用材料練和用具において、
一つの外容器内に区画された二つ以上の収容部があり、
粉末材料と液体は所定比率で別々の収容部内に収容され、
二つ以上の収容部はジッパーで仕切られ、
前記ジッパーを外容器の外から操作して開口させることにより、当該内容器内の粉末材料及び液体を外容器内に出して混合させることができる、
ことを特徴とする歯科用材料練和用具。
【請求項６】
歯科用粉末材料と液体とを練和することのできる歯科用材料練和用具において、
粉末材料と液体が二つの内容器に別々に収容され、
それら二つの内容器が一つの外容器内に収容され、
各々の内容器は外容器を揉むことにより又は外容器の外から操作することにより開口又は破損して内部の粉末材料と液体を前記外容器内に出して混合させることができ、
前記外容器は外から揉んで当該外容器内で前記粉末材料と液体を練和できるように変形可能である、
ことを特徴とする歯科用材料練和用具。
【請求項７】
請求項６記載の歯科用材料練和用具において、
内容器は外容器の外からそれに加えられる外力で開口又は破損する構造又は材質製又は強度であり、外容器は当該外力によって開口又は破損しない構造又は材質製又は強度である、
ことを特徴とする歯科用材料練和用具。
【請求項８】
請求項６又は請求項７記載の歯科用材料練和用具において、
外容器内の二つの内容器は仕切部で連結し、その仕切部を外容器の外から分離するか又は折ることにより開口又は破損して、各々の内容器内の粉末材料と液体が外容器内に出て混合されるようにした、
ことを特徴とする歯科用材料練和用具。
【請求項９】
請求項４乃至請求項８のいずれか１項に記載の歯科用材料練和用具において、
外容器内に、外容器内の内容器又は収容部内から出て混合した粉末材料と液体を、外容器の外から揉んで練和する練和空間を設けた、
ことを特徴とする歯科用材料練和用具。
【請求項１０】
請求項４乃至請求項９のいずれか１項に記載の歯科用材料練和用具において、
外容器内が真空状態又は略真空状態である、
ことを特徴とする歯科用材料練和用具。
【発明の詳細な説明】
【技術分野】
【０００１】
本発明は、歯科医療において模型材料として使用される石膏粉末や印象採得用の印象材として使用されるアルジネート粉末と、液体（水）との練和方法、及びその練和に使用する歯科用材料練和用具に関する。
【背景技術】
【０００２】
歯科医療においては、模型材用として石膏が、印象採得用の印象材としてアルジネートが使用されている。石膏やアルジネートは、粉末状態（石膏粉末、アルジネート粉末）で水と練和（混和を含む。）し、ペースト状にして使用される。
【０００３】
石膏やアルジネート等の粉末材料と水とを練和するには、容器（通常、ラバーボール）内に所要量の水を入れ、その中に規定された混水比（Ｗ／Ｐ＝0.42〜0.47）となるように粉末材料を加え、撹拌棒等を用いて、ラバーボール内で数分（通常、１〜２分程度）撹拌（練和）している。この練和方法では、撹拌時に粉末内に空気（気泡）が混入することがある。空気は歯科模型の欠損等の一因となるため、ラバーボールをバイブレーターで振動させたり、消泡剤を用いたりして脱泡作業を行ってから、ペースト状の材料を模型材料として或いは印象材として使用する。使用後に残った余剰練和材料はシンクに流して石膏トラップで捕集するとか、硬化後に容器から取り出して廃棄処分したりする。
【０００４】
前記練和方法の他、シリコーンオイルをノニオン系界面活性剤で乳化した水性エマルジョンを添加して練和する方法（特許文献１）、真空攪拌機（非特許文献１）などを用いて練和する方法も知られている。
【先行技術文献】
【特許文献】
【０００５】
【特許文献１】特開平５−１５５７３１号公報
【非特許文献１】株式会社日本歯科商社のホームページ上の製品紹介ページ（URL: http://www.dentalsupply.co.jp/seihin/ren/001.html）
【発明の概要】
【発明が解決しようとする課題】
【０００６】
前記従来の練和方法は次のような課題があった。
（１）粉末材料と水を空気中で混合し、撹拌するため、粉末材料が撹拌時に空気中に飛散し易く、作業者がその飛散粉末を吸い込むことがある。石膏は硫酸カルシウム（ＣａＳＯ4）を主成分とする鉱物であり人体に悪影響があるため、飛散粉末を吸い込むことは好ましくない。
（２）粉末材料と水の混水比が不正確だと膨張や収縮を招くことがあるが、混水比の正確度は作業者の熟練度によって差があるため、練和する作業者によって品質にバラツキが生じるという難点がある。
（３）練和時に気泡の混入を防ぐのが難しいため、練和後にバイブレーターや消泡剤等を使用しての脱泡作業は不可欠であり、手間がかかり面倒であった。
（４）余剰練和材はそのまま流すと配管が詰まってしまうため、石膏トラップを用いて処理しているが、石膏トラップの導入や石膏トラップのメンテナンスに手間がかかりコスト高になるという難点があった。
（５）ラバーボールはその都度洗わなければならず面倒であった。
（６）前記非特許文献１記載の真空攪拌機等の装置は、その導入やメンテナンス等に多くのコストがかかる。
【０００７】
本発明の目的は、粉末の飛散による人体への悪影響がなく、作業者の熟練度の差による品質のバラツキがなく、撹拌時の気泡の混入がなく、余剰材料を手軽に廃棄処理でき、容器を洗う面倒がなく、機器の導入やメンテナンス等のコストも掛らず、手軽に練和できるようにすることにある。
【課題を解決するための手段】
【０００８】
本発明の歯科用材料練和方法は、石膏粉末又はアルジネート粉末等の歯科用粉末材料と液体(例えば、水)とを練和する歯科用材料練和方法であって、一つの外容器（外袋）内に区画されて設けられた二つ以上の収容部内に、所定比率で別々に収容されている粉末材料と液体を、外容器の前記区画を開放して前記外容器内に出して混合させ、当該外容器を外から揉んで前記混合した粉末材料と液体を当該外容器内で練和してペースト状にする方法である。
【０００９】
本発明の歯科用材料練和方法は、一つの外容器（外袋）内とその内部に収容された内容器内に所定比率で別々に収容されている粉末材料と液体を、前記内容器を破損させて当該内容器内の粉末材料又は液体を外容器内に出すことにより混合させ、当該外容器を外から揉んで前記混合した粉末材料と液体を当該外容器内で練和してペースト状にすることもできる。
【００１０】
前記練和は外容器内を真空状態又は略真空状態にして行うことができる。練和後は外容器の一部（好ましくは角部）を開口して、その開口部からペースト状の練和材料を押し出して、粉末材料が石膏の場合は歯科模型の型に流し込み、粉末材料がアルジネート粉末の場合は印象採得用のトレーに盛ることができる。余剰練和材料は外袋ごと廃棄処分することができる。
【００１１】
本発明の歯科用材料練和用具は、粉末材料と液体の練和に使用する歯科用材料練和用具であって、一つの外容器内に区画された二つ以上の収容部があり、粉末材料と液体は所定比率で別々の収容部内に収容され、各々の収容部は外容器を揉むことにより又は外容器の外から圧力を加えることにより開口又は破損させてそれら収容部内の粉末材料と液体を前記外容器内に出して混合することができ、前記外容器は前記粉末材料と液体を外容器の外から揉んで練和できるように変形可能なものとしてある。
【００１２】
本発明の歯科用材料練和用具は、歯科用粉末材料と液体とを練和することのできる歯科用材料練和用具であって、一つの外容器内に区画された二つ以上の収容部があり、粉末材料と液体は所定比率で別々の収容部内に収容され、二つ以上の収容部はジッパーで仕切られ、前記ジッパーを外容器の外から操作して開口させることにより、当該内容器内の粉末材料及び液体を外容器内に出して混合させることができるようにしてもよい。
【００１３】
本発明の歯科用材料練和用具は、粉末材料と液体が二つの内容器に別々に収容され、それら二つの内容器が一つの外容器内に収容され、各々の内容器は外容器を揉むことにより又は外容器の外から操作することにより開口又は破損させて内部の粉末材料と液体を前記外容器内に出して混合し、外容器は外から揉んで当該外容器内で前記粉末材料と液体を練和できるように変形可能なものとすることができる。
【００１４】
前記外容器内には、外容器内の内容器又は収容部内から出て混合した粉末材料と液体を、外容器の外から揉んで練和する練和空間を設けることもできる。
【００１５】
前記内容器は外容器の外からそれに加えられる外力で開口又は破損する構造又は材質製又は強度であり、外容器は当該外力によって開口又は破損しない構造又は材質製又は強度とすることができる。
【００１６】
前記外容器内の二つの内容器は仕切部で連結し、その仕切部を外容器の外から分離するか又は折ることにより開口又は破損して、各々の内容器内の粉末材料と液体が外容器内に出て混合するようにすることもできる。
【００１７】
前記いずれの歯科用材料練和用具の場合も、外容器内は真空状態（略真空状態を含む）とすることができる。
【００１８】
本発明の歯科用材料練和方法及び歯科用材料練和用具において、収容部の開口又は破損は、収容部内に収容されている粉末材料と液体が外容器内に出ることができる状態の開口又は破損であればよい。開口又は破損の部位、形状、大きさ、破損状態等は問わず、例えば、内容器の破裂、内容器にあく孔、内容器に入る亀裂、溝状ジッパーの開口等であってもよい。
【発明の効果】
【００１９】
本発明の歯科用材料練和方法は次のような効果がある。
（１）外容器内の内容器又は収容部内の粉末材料と液体を外容器内に出して、当該外容器内で揉んで練和するので、粉末材料が外袋の外に飛散せず、作業者がその粉末を吸い込むことがなく、人体への悪影響がない。
（２）粉末材料と液体が所定比率で収容されているので、粉末材料と液体の混合比率にバラツキが無く、均一品質のペースト状の模型材や印象材を得ることができる。
（３）練和を外容器内で行うことができるので、撹拌中に空気が入り込まず、脱泡作業をしなくとも、歯科模型が欠損し難くなる。
（４）材料の混合及び練和にラバーボールを使用する必要がないため、ラバーボールを洗う面倒がない。
（５）余剰ペーストを外容器ごと廃棄できるので使用後の処分が容易になる。
【００２０】
本発明の歯科用材料練和用具は次のような効果がある。
（１）粉末材料と液体材料とを外容器内で練和できるので、粉末材料が空中に飛散することがなく、作業者が粉末を吸い込むことがなく、粉末を吸い込むことによる人体への悪影響もない。
（２）外容器内に、所定比率の粉末材料と液体材料が収容されているので、作業者の熟練度に関係なく、混水比が正確な模型材や印象材を作ることができる。
（３）外容器内で混合及び練和するので、混合や練和中に外容器内に空気が入り込むことがなく、脱泡作業をしなくとも、歯科模型が欠損し難くなる。
（４）粉末材料と液体の混合や練和にラバー容器を使用する必要がないため、ラバーボールを洗う面倒がない。
（５）外容器内に適量の粉末材料と液体を収容してあるので、練和時に粉末材料と液体を計量する面倒がない。
（６）余剰ペーストを外容器ごと廃棄処分することができるので、使用後の処分が容易になる。
【図面の簡単な説明】
【００２１】
【図１】本発明の歯科用材料練和用具の一例を示す斜視図。
【図２】本発明の歯科用材料練和用具の他例を示す斜視図。
【図３】本発明の歯科用材料練和方法（材料練和用具の使用方法）の一例を示す説明図であって、（ａ）は粉末材料と液体とが仕切部（隔離壁）で隔離された状態を示す説明図、（ｂ）は外容器をその外から手で押して粉末材料と液体を混合させる説明図、（ｃ）は外容器をその外から手で揉んで粉末材料と液体とを練和する状態を示す説明図。
【図４】本発明の歯科用材料練和用具の他例を示すものであって、（ａ）は外容器が仕切部（隔離壁）で二つの収容部に区画された状態を示す説明図、（ｂ）はジッパーが閉じた状態を示す断面図、（ｃ）はジッパーが開いた状態を示す断面図。
【図５】本発明の歯科用材料練和用具の他例を示すものであって、（ａ）は外容器内に内容器を収容した状態の平面図、（ｂ）は内容器を折って石膏粉末と水を出している状態の説明図。
【発明を実施するための形態】
【００２２】
（歯科用材料練和方法の実施形態）
本発明の歯科用材料練和方法の実施形態の一例を、図面を参照して説明する。以下の説明では粉末材料が石膏粉末の場合を一例として説明するが、粉末材料は石膏粉末以外の粉末材料、例えば、アルジネート粉末などであってもよい。本発明で用いる石膏には、普通石膏、硬石膏、超硬石膏などが含まれる。なお、歯科業界においては、石膏と水の場合には「混和」という用語が、印象材（アルジネート）と水の場合には「練和」という用語が用いられているが、本願においては、これらをまとめて「練和」という。
【００２３】
この実施形態の歯科用材料練和方法は、図１、図２に示すように、樹脂製、例えば、ビニール製の外容器（外袋）１内が仕切部２で仕切られて二つの収容部１ａ、１ｂに区画され、各々の収容部１ａ、１ｂに別々に石膏粉末Ｐと水Ｗが収容密閉されている歯科用材料練和用具１０を使用する場合であり、次のようにして練和する。
【００２４】
（１）外袋１を図３（ａ）のように、外袋１の外から押して、収容部１ａ、１ｂを区画している仕切部２に外力を加えて、図３（ｂ）のように仕切部２を破損させて裂け目３を入れて、各々の収容部１ａ、１ｂ内の石膏粉末Ｐと水Ｗを裂け目３から外袋１内に出して混合する。
（２）図３（ｃ）のように、外袋１をその外から手で揉んで、前記のように混合された石膏粉末Ｐと水Ｗとを外袋１内で練和してペースト状にする。
【００２５】
前記歯科用材料練和方法は、外袋１内を真空状態（略真空状態を含む）にしておき、その外袋１内で前記混合及び練和を行うこともできる。真空状態の外袋１内で混合及び練和を行うことによって、ペースト状の練和材料に気泡が混入せず、模型材や印象材として使用した場合の完成品の品質向上が期待できる。また、これまで必要であった脱泡作業が不要となり、作業性の向上も期待できる。
【００２６】
（歯科用材料練和用具の実施形態１）
本発明の歯科用材料練和用具の実施形態の一例を、図１を参照して説明する。図１の歯科用材料練和用具１０は、樹脂製、例えば、ビニール製の外袋１内が仕切部２で仕切られて二つの収容部１ａ、１ｂに区画され、一方の収容部１ａ内に石膏粉末Ｐが、他方の収容部１ｂ内に水Ｗが収容されたものである。
【００２７】
石膏粉末Ｐと水Ｗの混水比（Ｗ/Ｐ）は0.42〜0.47としてある。混水比がこれよりも高くなると粉っぽい練和石膏ができ、これよりも低くなると水っぽい練和石膏ができ、前者の場合は割れ易く、後者の場合は固まりにくくなる。この比率は一例であり、温度や湿度等の作業環境に応じて変更することもできる。
【００２８】
外袋１は揉み易いものが好ましく、例えば、ポリエチレン、ポリプロピレン、塩化ビニール樹脂といった樹脂フィルムを用いることができる。両収容部１ａ、１ｂを仕切る仕切部２は、外袋１の横幅方向ほぼ中央部を熱溶着して仕切部２としてある。仕切部２は多少の外力が加わっても破れない（裂け目が生じない）が、外袋１の外から所定以上の強力な外力が加わったときのみ破れる強度としてある。
【００２９】
（歯科用材料練和用具の実施形態２）
本発明の歯科用材料練和用具の実施形態の一例について、図２を参照して説明する。この実施形態の歯科用材料練和用具１０は、外袋１の内側に、外袋１よりも小さなサイズの内袋５が収容され、外袋１内に石膏粉末Ｐが収容され、内袋５内に水Ｗが収容されている。この場合の石膏粉末Ｐと水Ｗの混合比も0.42〜0.47としてあるが、この比率も一例であり、これ以外であってもよい。また、外袋１に水Ｗを、内袋５に石膏粉末Ｐを収容しておくこともできる。
【００３０】
この外袋１も、その外から揉むことができるものであり、内袋５は外袋１を揉む時に邪魔にならない程度に変形可能としてある。外袋１、内袋５の材質は、例えば、ポリエチレン、ポリプロピレン、塩化ビニール樹脂といった樹脂フィルムを用いることができる。図２に示す外袋１は長方形であり、その中に外袋１よりも小さな長方形の内袋５が収容されている。
【００３１】
図２に示す内袋５も外袋１の外から所定圧以上の力が加わらないときは破れず、所定圧以上の力が加えられると破れる（破裂する）ようにしてあり、例えば、外袋１よりも肉薄のものを使用するとか、外袋１よりも強度の弱い材質製とすることができる。
【００３２】
図２に示す例では、内袋５はその四周縁のうち、少なくとも一つの周縁を外袋１内に熱で或いは接着剤で接着してあるが、外袋１内に移動可能（フリー）の状態で収容しておくこともできる。内袋５は一つの外袋１内に二つ以上収容することもできる。
【００３３】
（歯科用材料練和用具の実施形態３）
本発明の歯科用材料練和用具の実施形態の他例として図４（ａ）（ｂ）に示すものは、樹脂製、例えば、ビニール製の外袋１内が仕切部（ジッパー）２で仕切られて二つの収容部１ａ、１ｂに区画され、一方の収容部１ａ内に石膏粉末Ｐが、他方の収容部１ｂ内に水Ｗが収容されたものである。この場合も、石膏粉末Ｐと水Ｗの混水比（Ｗ/Ｐ）は0.42〜0.47とするのが望ましい。仕切部２には開閉治具をスライドさせることによりジッパーを開閉可能なスライド式ジッパーを使用することもできる。
【００３４】
（歯科用材料練和用具の実施形態４）
本発明の歯科用材料練和用具の実施形態の他例として図５（ａ）に示すものは、仕切部２で仕切られた二つの内容器６ａ、６ｂの一方に石膏粉末Ｐが収容され、他方に水Ｗが収容された連結容器７が外袋１内に収容されたものであり、外袋１の外から連結容器７の仕切部２を図５（ｂ）のように二つ折りにすると仕切部２が割れて、一方の容器６ａ内の石膏粉末Ｐと、他方の容器６ｂ内の水Ｗとが外袋１内に出て混合するようにしてある。外袋１を揉んで外袋１内の石膏粉末Ｐと水Ｗとを練和することができるようにしてある。この場合、外容器１は内容器６ａ、６ｂよりも大きなサイズにして、外容器１内に練和空間８を設けて練和し易くしておくと便利である。内容器６ａ、６ｂは図５（ｂ）のように折れ易く、折れ目（割れ目）ができ易い材質製にしておくと、折り曲げ操作し易くなり、石膏粉末Ｐと水Ｗを混合し易くなる。
【００３５】
（歯科用材料練和用具のその他の実施形態）
前記歯科用材料練和用具は、いずれも、外袋１内を真空状態（略真空状態を含む）にしておくこともできる。外袋１内を真空状態とすることによって、練和中のペースト状の材料に気泡が混入せず、完成品の品質向上が期待できる。また、これまで必要であった脱泡作業が不要となり、作業性の向上も期待できる。
【００３６】
前記実施形態では、外袋１、収容部１ａ、１ｂ、内袋５は四角形の場合を一例として説明してあるが、それらは他の形状であってもよい。また、患者によって、必要な材料の量が異なるため、予め分量の異なる歯科用材料練和用具を数種類用意しておき、状況に応じて選択的に使用できるようにしておくこともできる。
【００３７】
（歯科用材料練和用具の使用例）
本発明の歯科用材料練和用具の使用例について説明する。この使用例は図１に示す歯科用材料練和用具１０を用いて石膏粉末Ｐと水Ｗとを練和する場合の例である。
（１）用意した歯科用材料練和用具１０の外袋１（図３（ａ））を外側から指で押して外袋１に力を加え、収容部１ａ、１ｂ間の仕切部２に裂け目３を入れる（図３（ｂ））。
（２）仕切部２に入れた裂け目３から、収容部１ａ、１ｂに収容されている水Ｗを外袋１内で混合させる（図３（ｂ））。
（３）外袋１を手で揉んで、外袋１内で石膏粉末Ｐと水Ｗとを練和してペースト状にする（図３（ｃ））。
（４）外袋１の一部（例えば、角部）を切除し、そこからペースト状の練和石膏を押し出して型に流し込む。流し込んだ練和石膏を硬化させ、歯型模型を完成させる。
（５）練和石膏が残った場合、外袋１ごと不燃物として処理する（捨てる）。
【００３８】
前記使用例は一例であり、これ以外の方法で使用することもできる。また、図２に示す歯科材料用練和用具１０を用いて石膏粉末Ｐと水Ｗとを練和する場合も同様の方法で使用することができる。
【産業上の利用可能性】
【００３９】
前記実施形態では、普通石膏、硬石膏、超硬石膏といった石膏と水とを練和する場合を一例として説明しているが、本発明の材料練和方法及び材料練和用具は、前記石膏の他、印象採得の材料（印象材）として使用するアルジネート粉末と水の練和など、他の材料の練和に用いることもできる。
【符号の説明】
【００４０】
１    外袋
１ａ、１ｂ  収容部
２    仕切部
３    裂け目
５    内袋
６ａ、６ｂ  内容器
７    連結容器
８    練和空間
１０  歯科用材料練和用具
Ｐ    石膏粉末（粉末材料）
Ｗ    水（液体材料）
【図１】
2013252198.tif 000003
【図２】
2013252198.tif 000004
【図３】
2013252198.tif 000005
【図４】
2013252198.tif 000006
【図５】
2013252198.tif 000007